(57)【特許請求の範囲】
【請求項１】
左右の側壁と前壁と後壁と底板とからなる浴槽と入浴者がもたれる背板とからなり、
前記背板は、入浴者の背中から腰部を支持する背もたれ部と、該背もたれ部の下方部分において左右側方に突出した差込み部とからなり、
かつ、該背板は、前記背もたれ部および前記差込み部を形作る一枚物の表面板と、該表面板の外縁から後向きに突出したリブと、前記表面板の適所に形成された孔の外縁から後向きに突出したリブとが一体に形成されたものであり、
前記浴槽における左右の側壁における前後方向の片側部位には、複数個所の縦溝が形成されており、
前記背もたれ部は前記差込み部に対し後向きに傾斜しており、該背板は前記縦溝への挿入状態で後向きに傾斜する
ことを特徴とする浴槽設備。
【請求項２】
前記背板には、入浴者を保持するための保持バンドを通すバンド通しが設けられている
ことを特徴とする請求項１記載の浴槽設備。
【発明の詳細な説明】
【技術分野】
【０００１】
本発明は、浴槽設備に関する。さらに詳しくは、介護用に便利であるが、一般家庭用にも利用できる浴槽設備に関する。
【背景技術】
【０００２】
従来の浴槽として特許文献１のものがある。
この従来例は、浴槽内で入浴者が安定的に姿勢保持できるように、仕切台板を用いるもので、この仕切台板は浴槽内の縦溝に挿入し係止することが可能である。
そして、普通に入浴するときは、背中を浴槽の前後壁にもたせ、足を仕切台板に当てておくと、体が浴槽内で滑ることなく安心して入浴できる、というものである。また、半身浴するときは、仕切台板を腰掛け替わりに利用することもできる。
【０００３】
しかるに、上記従来例では、入浴者の背中を浴槽の前後壁にもたせかけるが、前後壁はほぼ垂直に近い角度で立っているので、入浴者に腹圧を強くかけさせることになっていた。このため、入浴者が苦痛を感じるほか、介護者がいったん入浴者をかかえあげて腹圧を取り除く処置を要するなど、介護現場での労力を増大させていたという問題がある。
【先行技術文献】
【特許文献】
【０００４】
【特許文献１】特開２００８−７９６６１号公報
【発明の概要】
【発明が解決しようとする課題】
【０００５】
本発明は上記事情に鑑み、入浴者に腹圧をかけることなく、介護者には介護労力を軽減できる浴槽設備を提供することを目的とする。
【課題を解決するための手段】
【０００６】
第１発明の浴槽設備は、左右の側壁と前壁と後壁と底板とからなる浴槽と入浴者がもたれる背板とからなり、前記背板は、入浴者の背中から腰部を支持する背もたれ部と、該背もたれ部の下方部分において左右側方に突出した差込み部とからなり、かつ、該背板は、前記背もたれ部および前記差込み部を形作る一枚物の表面板と、該表面板の外縁から後向きに突出したリブと、前記表面板の適所に形成された孔の外縁から後向きに突出したリブとが一体に形成されたものであり、前記浴槽における左右の側壁における前後方向の片側部位には、複数個所の縦溝が形成されており、前記背もたれ部は前記差込み部に対し後向きに傾斜しており、該背板は前記縦溝への挿入状態で後向きに傾斜することを特徴とする。
第２発明の浴槽設備は、第１発明において、前記背板には、入浴者を保持するための保持バンドを通すバンド通しが設けられていることを特徴とする。
【発明の効果】
【０００７】
第１発明によれば、つぎの効果を奏する。
ａ）複数個所の差込み溝を選択して背板を挿入すれば、浴槽の後壁と背板との間の距離を可変に調整できるので、入浴者の体格に合せることができる。
また、背板は後向きに傾斜しているので、座浴姿勢になった際に腹部を圧迫することがない。このため、入浴者も楽になれ、介護者も座り直させる手間が省ける。
ｂ）浴槽の差込み溝が垂直な溝であっても、背板の差込み部を差込溝に挿入すると、背もたれ部は後向きに傾斜しているので、入浴者が楽に使えるし、浴槽の差込み溝を傾斜させるような生産性を大きく低下させる製法をとらなくてよくなる。
ｃ）背板の表面板がリブで補強されて剛性を高く保つことができるので、一枚物の表面板を主材として軽量に作成でき、介護者の労力も軽減できる。
第２発明によれば、背板のバンド通しに保持バンドを通したうえで、入浴者の胸まわりにバンドを回し背板を固定すれば、入浴者が浴槽内でずり落ちることがないので安全であり、介護労力も軽減できる。
【図面の簡単な説明】
【０００８】
【図１】本発明の一実施形態に係る浴槽設備の平面図である。
【図２】図１のII−II線断面図である。
【図３】背板の正面図である。
【図４】（Ａ）は背板の平面図、（Ｂ）は背板の側面図である。
【図５】背板の挿入位置説明図である。
【図６】本発明の浴槽設備の使用状態説明図である。
【図７】本発明の浴槽設備における保持バンドを用いた使用状態説明図である。
【発明を実施するための形態】
【０００９】
つぎに、本発明の実施形態を図面に基づき説明する。
本発明の入浴槽設備は浴槽１と背板１０とから構成されている。
【００１０】
まず、図１および図２に基づき浴槽１の構造を説明する。
浴槽１は通常の浴槽と同様に左右の側壁２，２と前壁３と後壁４と底板５とから構成された箱状の浴槽である。側壁２と前壁３と後壁４の立上り角度は通常の浴槽と同様にわずかな傾斜角が付いているが、略垂直である。材料は公知の樹脂材料である。
【００１１】
左右の側壁２，２における前後方向の中間位置から前壁３寄りの位置には、内側へ少し出っ張った張り出し部６，６が形成されている。この張り出し部６，６の高さは側壁２，２の高さの略半分位である。
この張り出し部６，６には垂直な縦溝７が形成されている。この縦溝７は後述する背板１０を差し込んで固定する溝である。この縦溝７は垂直に形成しておくと、浴槽１全体をハンドレイアップ法などで一体成型しやすいので好ましい。
【００１２】
縦溝７の本数は、図示の実施形態では３本であるが、４本以上であってもよく、２本以下であってもよい。後述するように、背板１０を差し込む縦溝７の位置を選択することによって、入浴者の体格に合せることができるので、縦溝７の数は多い方が良いが、多すぎても実用性に欠けるので、６本位までが適当である。
【００１３】
つぎに、図３および図４に基づき背板１０を説明する。
背板１０は、入浴者の背中から腰部を支持する背もたれ部１１と、この背もたれ部１１の下方部分において左右側方に突出した差込み部１２，１２とからなる。背板１０は公知の樹脂材料製であり、ＲＴＭ法などで一体成形される。
【００１４】
背板１０は、背もたれ部１１および差込み部１２を形作る一枚物の表面板１３を有しており、この表面板１３には、横長の孔１４や丸孔１５などが適宜の位置に形成されている。また、表面板１３の外縁からは後向きに突出したリブ１６が形成されており、かつ前記孔１４，１５の外縁から後向きに突出したリブ１７とが一体に形成されている。このように、背板１０の表面板１３がリブ１６，１７で補強されて剛性を高く保つことができるので、一枚物の表面板１３を主材として軽量に作成できる。このため、介護者の労力も軽減できる。
【００１５】
図４に示すように、背もたれ部１１は差込み部１２に対し後向きに傾斜している。その傾斜角θは、５〜８位が適当である。このように、背板１０は後向きに傾斜しているので、座浴姿勢になった際に腹部を圧迫することがない。このため、入浴者も楽になれ、介護者も座り直させる手間が省ける。
しかも、浴槽１の縦溝７が垂直な溝であっても、背板１０の差込み部１２を縦溝７に挿入すると、背もたれ部１１は後向きに傾斜しているので、入浴者が楽に使えるし、浴槽の差込み用縦溝を傾斜させるような生産性を大きく低下させる製法をとらなくてよくなる。
【００１６】
つぎに、図５に基づき本発明の入浴設備の使用方法を説明する。
背板１０は３本の縦溝７のどれにでも差し込むことができ、入浴者の体格に合わせて、図中Ｉ、II、IIIで示すどの位置にでも背板１０を差し込んで固定することができる。
このように複数個所の縦溝７を選択して背板１０を挿入すれば、浴槽１の後壁４と背板１０との間の距離を可変に調整できるので、図６に示すように、入浴者Ｈが背中を背板１０にもたれさせ、かつ足を後壁４に押し当てることができるので、安定した姿勢で入浴させることができる。
【００１７】
つぎに、図７に基づき、第２実施形態の入浴設備の使用法を説明する。
第２実施形態の背板１０には、入浴者を保持するための保持バンドＢを通すバンド通し２１が設けられている。背板１０のバンド通し２１に保持バンドＢを通したうえで、入浴者の胸まわりにバンドＢを回し背板１０を固定すれば、入浴者が浴槽１内でずり落ちることがないので安全であり、介護労力も軽減できる。
【符号の説明】
【００１８】
１    浴槽
２    側壁
３    前壁
４    後壁
５    底板
６    張り出し部
７    縦溝
１０  背板
１１  背もたれ部
１２  差込み部
１３  表面板
１４  横長の孔
１５  丸孔
１６，１７  リブ
２１  バンド通し
Ｂ    保持バンド
【図１】
0005926787.tif 000002
【図２】
0005926787.tif 000003
【図３】
0005926787.tif 000004
【図４】
0005926787.tif 000005
【図５】
0005926787.tif 000006
【図６】
0005926787.tif 000007
【図７】
0005926787.tif 000008